(57)【要約】      （修正有）【課題】多様な伝導電極が変更でき、ばら部品はなく、かつ、容易に変換できる電源プラグを提供する。【解決手段】互いに接続され一体になることが可能な受身型接続ユニット１と組立型接続ユニット２とを含む。端部開口１０３が開設されかつ内部に導電端子１５が設けられる絶縁ケース１０を有し、各導電端子には電源ケーブル１４が電気的接続される受身型接続ユニットと、絶縁ケース本体とこの絶縁ケース本体内に収納されかつ移動自在な可動体２１を有し、可動体内に移動により単独に絶縁ケース本体２０の外に伸びだされる第一の伝導電極２１１及び第二の伝導電極２１２が設けられ、第一及び第二の伝導電極のいずれかの伝導電極が導電端子に電気的接続され、接続ユニットの端部開口内に接続される組立型接続ユニットと、接続ユニットと組立型接続ユニットとの間に設けられ、互いに係止され位置決められる係止手段２２とを備える電源プラグである。【選択図】図１
0003107187.tif 000002
【実用新案登録請求の範囲】
【請求項１】
端部開口が開設される絶縁ケースを有し、この絶縁ケース内に導電端子が設けられる受身型接続ユニットと、
絶縁ケース本体とこの絶縁ケース本体内に収納されかつ移動自在な可動体を有し、可動体内で移動させるにより絶縁ケース本体の外に伸びだされる第一の伝導電極及び第二の伝導電極が設けられ、第一及び第二の伝導電極のいずれかの伝導電極が導電端子に電気的接続され、接続ユニットの端部開口内に接続される組立型接続ユニットと、
接続ユニットと組立型接続ユニットとの間に設けられ、互いに係止される係止手段とを
備える電源プラグ。
【請求項２】
係止手段は、受身型接続ユニットに設けられる係止溝と組立型接続ユニットに設けられる係止部材とを含み、上記受身型接続ユニットの絶縁ケースのトップ側及びボットム側には突出体が突設され、上記係止溝は各突出体の対向の内側に形成され係止部材より係止できることを特徴とする、
請求項１記載の電源プラグ。
【請求項３】
上記絶縁ケースの各係止溝には切口が形成されることを特徴とする、
請求項２記載の電源プラグ。
【請求項４】
係止手段は、受身型接続ユニットに設けられる係止溝と組立型接続ユニットに設けられる係止部材とを含み、上記組立型接続ユニットの各係止部材が絶縁ケース本体に設けられ、上記各係止部材の内側には、係止溝に係止される為の絶縁ケース本体の外に突出する係止体が形成されることを特徴とする、
請求項１記載の電源プラグ。
【請求項５】
上記組立型接続ユニットの絶縁ケース本体には、トップ側、ボットム側に位置する開口と前、後側に位置する伸び縮み開口が設けられ、上記係止部材の係止体がこの開口から伸び出し、可動体の第一、第二の伝導電極が単独に前、後側に位置する伸び縮み開口に伸び出していることを特徴とする、
請求項４記載の電源プラグ。
【請求項６】
上記組立型接続ユニットの絶縁ケース本体内にはさらにガイド溝が設けられ、このガイド溝の案内方向は上記可動体の移動方向と交差しており、上記各係止部材はこのガイド溝内に嵌設され、かつ、絶縁ケース本体には係止体が伸び出すための開口も形成され、上記各開口はこのガイド溝に連結されることを特徴とする、
請求項４記載の電源プラグ。
【請求項７】
上記組立型接続ユニットの各係止部材にはそれぞれ押す部が突設されており、絶縁ケース本体には各押す部に対応するところに押す部を露出するように貫通穴が開設され、かつ、上記係止部材の間にばね部材が設けられることを特徴とする、
請求項４記載の電源プラグ。
【請求項８】
組立型接続ユニットの各係止手段は、上記押す部がその押されない時のは内側の上記可動体がストップされ動かなくなることを特徴とする、
請求項４記載の電源プラグ。
【請求項９】
上記受身型接続ユニットの絶縁ケースにはさらに枢接座が設置され、枢接座に連動部品が接続され、連動部品のもう一端には回転し突出されまたは再び逆方向に回転し折り収められるグランド極が接続されることを特徴とする、
請求項１記載の電源プラグ。
【請求項１０】
上記受身型接続ユニットの絶縁ケースにはさらに嵌め溝を設け、この嵌め溝内の端末に嵌合部を持つグランド極が嵌設しており、そのグランド極を一方向で嵌め溝に嵌設するとき、そのグランド極を各伝導電極と同じ方向に伸び出させ、そのグランド極をもう一方向で嵌め溝に嵌設するとき、そのグランド極を各伝導電極と反対方向にすることを特徴とする、
請求項１記載の電源プラグ。
【請求項１１】
上記受身型接続ユニットの絶縁ケースにはさらに別の二つの嵌め溝を設け、この別の二つの嵌め溝内に二種のグランド極が嵌設することを特徴とする、
請求項１記載の電源プラグ。
【請求項１２】
上記受身型接続ユニットの絶縁ケース内の各導電端子には、電源ケーブルが電気的接続されることを特徴とする、
請求項１記載の電源プラグ。
【請求項１３】
上記受身型接続ユニットの絶縁ケース内には充電ユニットが設けられ、この充電ユニットは各導電端子と電気的接続し、またこの充電ユニットには導線が接続され、この導線の一端はコネクタに接続されることを特徴とする、
請求項１記載の電源プラグ。
【請求項１４】
上記受身型接続ユニットの絶縁ケース内には充電ユニットが設けられ、この充電ユニットは各導電端子と電気的接続し、またコネクタにも接続されることを特徴とする、
請求項１記載の電源プラグ。
【請求項１５】
上記受身型接続ユニットの絶縁ケース内には弾性的に導線を巻き取るための線巻機が設けられ、この導線は各導電端子と電気的接続することを特徴とする、
請求項１記載の電源プラグ。
【考案の詳細な説明】
【技術分野】
【０００１】
本考案は、電源プラグに関わるもので、とくに、多様な伝導電極が変更でき、ばら部品はなく、かつ、容易に変換できる電源プラグに関するものである。
【背景技術】
【０００２】
世界各国には使用される電源コンセントは色々異なっており、その代わりに接続するための電源プラグも互いに異なり、両伝導電極だけやグランド電極も付いてる、或は直片状や円柱状のような伝導電極などのものがあり、我が国の人々は国外では本国の電気製品をしようとするとき、仕様が合わない問題を避ける為、トランス付属装置を買わなければならない、このトランス付属装置内にはトランス及び複数の異なる仕様の電源プラグが含まれ、ユーザにて適当な電源プラグを選んで使われるようになさる。
【考案の開示】
【考案が解決しようとする課題】
【０００３】
但し、ワンセットのトランス付属装置内には、複数の散らばる電源プラグばら部品が一緒に含まれ、携帯上の邪魔や不便を招き、かつ、ばら部品が多すぎると落ちやすくなり、困惑なことになり兼ねない。
【０００４】
そのため、本考案の創作人は、上記の先行技術の欠点が改良出来ることを実感したため、潜心に研究、設計を行うことにより、設計が合理かつ上記欠点が効果的に改良出来る本考案の新たな構成を提案し出した。
【課題を解決するための手段】
【０００５】
本考案の電源プラグの目的は、効率良く簡易かつばら部品はなく電源プラグの伝導電極（二極プラグ）が変換出来、または、グランド電極を伸出させることにより三極プラグに変更できるので、ばら部品はないため携帯便利並びに落とす心配がないなどの機能があるので、当然、更なる確実に各種の異なる電源コンセントに適応できる。
【考案の効果】
【０００６】
上記の目的を達成するために、本考案は、端部開口が開設される絶縁ケースを有し、この絶縁ケース内に導電端子が設けられる受身型接続ユニットと、
絶縁ケース本体とこの絶縁ケース本体内に収納されかつ移動自在な可動体を有し、可動体内に移動により単独に絶縁ケース本体の外に伸びだされる第一の伝導電極及び第二の伝導電極が設けられ、第一及び第二の伝導電極のいずれかの伝導電極が導電端子に電気的接続され、接続ユニットの端部開口内に接続される組立型接続ユニットと、
接続ユニットと組立型接続ユニットとの間に設けられ、互いに係止される係止手段とを備える電源プラグを提供する。
【考案を実施するための最良の形態】
【０００７】
本考案の特徴及び技術内容を更に理解させるため、以下の本考案に係わる詳細な説明及び添付図面を参考にできる。
【０００８】
図１〜図７を参照すると、本考案は、電源ケーブル１４に電気的接続される盛金ケース状のような受身型接続ユニット１と、内部に両対の可動伝導電極が設けられ、受身型接続ユニット１内に接続される組立型接続ユニット２と、を備える電源プラグを提供する。
【０００９】
受身型接続ユニット１は絶縁ケース１０を有し、この絶縁ケース１０の前端には接続のための端部開口１０３が形成され、トップ側及びボットム側１０１、１０２には一対の突出体１１が前方向に向かって対称的に突設され、この一対の突出体１１の互いに対向する内側に共に切口１１３を持つ係止溝１１２が設けられる。この絶縁ケース１０内に挟み機能を持つ一対の導電端子１５が設けられ、一対の導電端子１５には絶縁ケース１０の外に伸びだされる電源ケーブル１４が電気的接続される。中には、一つの突出体１１の外側に枢接座１１１が設置され、枢接座１１１とグランド電極１３の間に一対の連動部品１２が設けられることより、グランド電極１３はこの一対の連動部品１２の両端の枢接部分を軸として回転し直線状に突出され（伸び出た状態）、または、再び逆方向に回転し折り収まれる（縮めて元に戻した状態）。
【００１０】
組立型接続ユニット２には、絶縁ケース本体２０と、この絶縁ケース本体２０内に可動的に収納される可動体２１とを備える。この絶縁ケース本体２０のトップ側及びボットム側にはそれぞれ二つの開口２０１が開設され、その前、後側にはそれぞれ伝導電極に対応する二つの伸び縮み開口２０３が開設し、両側にはそれぞれ貫通穴２０４が設けられており、その内壁の一回りに丁度各開口２０１と各貫通穴２０４に通るガイド溝２０２が形成される。可動体２１は、その一側には一対の第一の伝導電極２１１が突出され、そのもう一側には一対の第二の伝導電極２１２が突出されており、この二つの互いに電気的伝導される伝導電極は、一つが直片状で、もう一つが円柱状であり、可動体２１はこの絶縁ケース本体２０内に収納され、第一、第二の伝導電極２１１、２１２を各伸び縮み開口２０３に対応させることより、第一の伝導電極２１１が絶縁ケース本体２０に突出されなければ、第二の伝導電極２１２が絶縁ケース本体２０に伸び出されることになさる。
【００１１】
この一対の係止部材２２同士は、ほぼリング状に対向に継がされることにより、絶縁ケース本体２０のガイド溝２０２内に嵌められ、またこの両係止部材２２の間の対向継ぎ部に、ばね部材２３も設けられることによって、一対の係止部材２２を相対的に離れように付勢する。各係止部材２２の内部トップ側、ボットム側にはそれぞれ係止体２２１が設けられ、各係止体２２１は絶縁ケース本体２０の各関連開口２０１に対応して挿入され、また、各係止部材２２の外側にそれぞれ押す部２２２が突設されており、各押す部２２２は絶縁ケース本体２０の各関連貫通穴２０４に対応して挿入される。また、一対の係止部材２２の内部側は可動体２１の一側或はもう一側に止められることにより（図５に示すように）、第一或は第二の伝導電極２１１、２１２の伸び出し状態を位置決め、固定させることができる。
【００１２】
この一対の係止部材２２と一対の係止溝１１２などの部材より、組立型接続ユニット２と受身型接続ユニット１との間に係り止め用の係止手段が構成可能だが、本考案の係止手段は前記のようにまたは図を示すような態様に限られなく、当然、他の同等、類似又は関連の態様にも良いである。
【００１３】
ユーザがこの一対の係止部材２２の押す部２２２を押すときに、その間のばね部材２３が弾性に縮められ、二つの係止部材２２をガイド溝２０２の案内で互いに近づかせるとともに、各係止部材２２の内端も同期移動出来るため、元のストップ状態が解除され、可動体２１が可動状態になり、その時、第一或は第二の伝導電極２１１、２１２のいずれかを選んで絶縁ケース本体２０の一方側（即ち、組立型接続ユニット２の一方側）の外に伸び出させ得る。
【００１４】
第一或は第二の伝導電極２１１、２１２のいずれかを選らんだ後に、さらにこの組立型接続ユニット２のもう一方側をこの受身型接続ユニット１の端部開口１０３内に接続されており、接続の際に、この組立型接続ユニット２のトップ側、ボットム側の各係止体２２１を受身型接続ユニット１の切口１１３に通らせることが出来、それによってこの突出体１１の対向の内側間の係止溝１１２内に係止され、受身型接続ユニット１と組立型接続ユニット２を互いに係止させ位置決められ一体になり（図４に示すように）、その時、伸び出されない伝導電極（２１１或は２１２）は、導電端子１５が伸び縮み開口２０３に挿入されることによってこの一対の導電端子１５と電気的接続される。もう一つの伝導電極に変換しようとするときに、ユーザは再びこの二つの押す部２２２だけを押せば、この各係止部材２２の係止体２２１を相互に近づくことによって係止溝１１２内の係止状態から離脱されることになり、係止体２２１を切口１１３から移し出させ、この組立型接続ユニット２を取り外す目的が達成出来、そこから、再び第一或は第二の伝導電極２１１、２１２のいずれかを選んで絶縁ケース本体２０の一方側の外に伸び出させ、さらにこの両ユニットを接続・係止させれば良い（図６に示すように）。
【００１５】
第三極（グランド極）の必要がある国或は使用場所であったときに、ユーザはこのグランド極１３だけを動かせば、グランド電極１３はこの一対の連動部品１２の両端の枢接部分を軸として回転し直線状に突出され（伸びだし状、図７に示すように）、勿論、再び逆方向に回転すれば折り収まれる（縮めて元に還元する状、図６又は図４に示すように）。
【００１６】
また、グランド極を伸ばす、又は縮めて折り収める構成は、上記の回転方式に限られなく、当然、図８、図９に示すような他の異なる方式も可能であり、例えば、この受身型接続ユニット１の絶縁ケース１０の上に代わりに嵌め溝１０４を設け、この嵌め溝１０４の嵌設方向は各伝導電極と平行になり、グランド極１６の端末には対応の嵌合部１６１が形成されることにより、そのグランド極１６を単一方向で嵌め溝１０４に嵌設でき、各伝導電極と同じ方向に伸び出す状態になり得る（図８のように）、または、そのグランド極１６をもう一方向で嵌め溝１０４に嵌設でき、各伝導電極と反対方向の状態になり得る（図９のように）。
【００１７】
さらに、図１５を参照すると、本考案も前記図８、９の単一嵌め溝１０４と単一グランド極１６の方式に限られなく、図１５のように、この絶縁ケース１０の上にさらに別の二つの嵌め溝１０８を設け、この両嵌め溝１０８内にそれぞれ予備用の別の二つのグランド極１６’、１６”が嵌設しており、このようにしても容易に円柱状、（フラット）直片状及び角柱状の三種のグランド極を変更出来る。
【００１８】
また、図１０を参照すると、本考案の受身型接続ユニット１の絶縁ケース１０の外形も適当に変更出来、かつ、前記実施例の電源ケーブル１４の代わりに、絶縁ケース１０の一側に挿穴１０５が設けられる。この挿穴１０５は前記絶縁ケース１０の内部の一対の導電端子１５と対応して、対応するプラグを利用してこの挿穴１０５に挿入し、導電端子１５と接して電気的接続される。
【００１９】
さらに、図１１を参照すると、本考案の受身型接続ユニット１の絶縁ケース１０には、同時に挿穴１０５と導線１０６も設けられる。
【００２０】
また、図１２を参照すると、本考案の受身型接続ユニット１の絶縁ケース１０内には、されに充電ユニット１７が設けられ、この充電ユニット１７は要望の電源をこの充電ユニット１７に供給できるように導電端子１５に電気的接続され、また充電ユニット１７にも導線１０６を接続され、この導線１０６の一端には電気製品或は充電可能な電池に挿入され充電を行うためのコネクタ１０７に接続され、充電座の機能を持たせしめる。また、この充電ユニット１７はそのままＵＳＢ型などのコネクタ１９にも接続できる（図１４のように）。
【００２１】
また、図１３を参照すると、本考案の受身型接続ユニット１の絶縁ケース１０内には、さらに弾性的に導線１０６を巻き取るための線巻機１８を設けることができる。
【００２２】
以上に様に、本考案の構造は、異なる態様の第一、第二の伝導電極２１１、２１２を同時に組立型接続ユニット２内に設置され、かつ、その第三極（グランド電極１３）は簡単に伸出状又は縮回状に制御されるため、本考案の電源プラグは、簡易かつばら部品はなく伝導電極が変換出来、また、グランド電極１３を伸出状態又は縮回状態に変更することによって、ばら部品はないため携帯便利並びに落とされる遠慮はないなどの機能があるので、当然、更なる確実に各種の異なる電源コンセントに適応できる。また、本考案はさらに充電と導線を巻きなど第４〜第８よりなる互いに対応の機能を備える。
【００２３】
前記に説明した通りに、本考案が提供する電源プラグは、確かに先行技術の多くの欠点が解決出来、高度な実用価値がある新規な創作製品であり、効果の増進を備えており、実用新案登録の要件を満たすので、法に従って出願を提起するが、ご査察の上、本考案のことを早期に公開されるよう、宜しくお願い申し上げますこと。
【００２４】
以上に述べた事は、単に本考案の好ましい実施例に過ぎず、本考案の請求範囲を局限するものではなく、総じて本考案の説明書及び図で示した内容等を運用するもので遂げる同等の構造変化は、同様に本考案の範囲内に於いて含まれ、陳明に与える。
【図面の簡単な説明】
【００２５】
【図１】本考案に係わる電源プラグの分解斜視図である。
【図２】本考案に係わる電源プラグのもう一つの角度から見る大部分の分解図である。
【図３】本考案に係わる電源プラグの図２による反転後の分解図である。
【図４】本考案に係わる電源プラグの図２による斜視組合図である。
【図５】本考案に係わる電源プラグの絶縁ケースと絶縁ケース本体の上半ケース本体を取り外す後の斜視図であり、内部状況を示す図である。
【図６】本考案に係わる電源プラグの第一の実施例の斜視図である。
【図７】本考案に係わる電源プラグの第二の実施例の斜視図である。
【図８】本考案に係わる電源プラグの第三の実施例での伸び出す時の斜視図である。
【図９】本考案に係わる電源プラグの第三の実施例での縮める時の斜視図である。
【図１０】本考案に係わる電源プラグの第四の実施例の斜視図である。
【図１１】本考案に係わる電源プラグの第五の実施例の斜視図である。
【図１２】本考案に係わる電源プラグの第六の実施例の斜視図である。
【図１３】本考案に係わる電源プラグの第七の実施例の斜視図である。
【図１４】本考案に係わる電源プラグの第八の実施例の斜視図である。
【図１５】本考案に係わる電源プラグの第九の実施例の斜視図である。
【符号の説明】
【００２６】
１受身型接続ユニット
２組立型接続ユニット
１０絶縁ケース
１１突出体
１２連動部品
１３グランド電極（グランド極）
１４電源ケーブル
１５導電端子
１６グランド極
１６’、１６”グランド極
１７充電ユニット
１８線巻機
１９コネクタ
２０絶縁ケース本体
２１可動体
２２係止部材
２３ばね部材
１０１トップ側
１０２ボットム側
１０３端部開口
１０４嵌め溝
１０５挿穴
１０６導線
１０７コネクタ
１０８嵌め溝
１１１枢接座
１１２係止溝
１１３切口
１６１嵌合部
２０１開口
２０２ガイド溝
２０３伸び縮み開口
２０４貫通穴
２１１第一の伝導電極
２１２第二の伝導電極
２２１係止体
２２２押す部
【図１】
0003107187.tif 000003
【図２】
0003107187.tif 000004
【図３】
0003107187.tif 000005
【図４】
0003107187.tif 000006
【図５】
0003107187.tif 000007
【図６】
0003107187.tif 000008
【図７】
0003107187.tif 000009
【図８】
0003107187.tif 000010
【図９】
0003107187.tif 000011
【図１０】
0003107187.tif 000012
【図１１】
0003107187.tif 000013
【図１２】
0003107187.tif 000014
【図１３】
0003107187.tif 000015
【図１４】
0003107187.tif 000016
【図１５】
0003107187.tif 000017